(57)【要約】【課題】            競泳時のねじれや斜め方向に対する表面摩擦抵抗も低減した競泳水着を提供することを目的とする。【解決手段】            伸縮性を有する生地からなる水着の表面の少なくとも一部分に、連続的に形成した撥水部を有する連続撥水部分と、撥水部及び非撥水部を断続的に形成した断続撥水部分とが、体長方向に平行なストライプ状に形成された撥水領域を有し、前記断続撥水部分の撥水部と前記連続撥水部分の撥水部とが少なくとも一部分で連結されており、前記撥水領域の面積に占める撥水部の面積の比率が７０〜９０％である競泳水着において、前記撥水部を体長方向に対する左斜め方向及び右斜め方向にも連続的に形成したことを特徴とする競泳水着である。【選択図】          図１
2006348398.tif 000002
【特許請求の範囲】
【請求項１】
伸縮性を有する生地からなる水着の表面の少なくとも一部分に、連続的に形成した撥水部を有する連続撥水部分と、撥水部及び非撥水部を断続的に形成した断続撥水部分とが、体長方向に平行なストライプ状に形成された撥水領域を有し、前記断続撥水部分の撥水部と前記連続撥水部分の撥水部とが少なくとも一部分で連結されており、前記撥水領域の面積に占める撥水部の面積の比率が７０〜９０％である競泳水着において、
前記撥水部を体長方向に対する左斜め方向及び右斜め方向にも連続的に形成したことを特徴とする競泳水着。
【請求項２】
前記体長方向、左斜め方向及び右斜め方向に連続的に形成した撥水部の幅が、それぞれの方向において１ｍｍ以上５０ｍｍ以下であることを特徴とする請求項１に記載の競泳水着。
【請求項３】
前記体長方向、左斜め方向及び右斜め方向に連続的に形成した撥水部の幅が、ほぼ同一であることを特徴とする請求項１又は２に記載の競泳水着。
【請求項４】
前記の体長方向、左斜め方向及び右斜め方向に連続的に形成した撥水部において、それぞれの方向の撥水部の中心線が一点で交わることを特徴とする請求項１乃至３のいずれかに記載の競泳水着。
【請求項５】
前記の体長方向の撥水部の中心線と左斜め方向の撥水部の中心線とのなす角度、及び体長方向の撥水部の中心線と右斜め方向の撥水部の中心線とのなす角度がそれぞれ１０度以上２５度以下であることを特徴とする請求項１乃至４のいずれかに記載の競泳水着。
【発明の詳細な説明】
【技術分野】
【０００１】
本発明は、水着表面に撥水部を設けることによって水中での表面摩擦抵抗を低減するとともに、非撥水部を設けることにより水抜け性を有する競泳水着に関するものであり、体長方向に加えて左右の斜め方向にも連続的に撥水部を設けることで、競泳時のねじれや斜め方向に対する表面摩擦抵抗も低減した競泳水着に関するものである。
【背景技術】
【０００２】
従来より、競泳水着に最も求められる機能として、競泳時に生ずる水着の表面摩擦抵抗の低減が挙げられる。これまで表面摩擦抵抗を低減する技術に関しては、各種の提案がなされている。例えば特許文献１には、水着表面の少なくとも一部分にストライプ状に撥水部分と非撥水部分とを設けた領域を有し、前記ストライプを水着着用時に実質的に体長方向に延びるように配置したことを特徴とする競泳水着が開示されている。また特許文献２には、水着表面の少なくとも一部分に、連続的に撥水加工を施した連続撥水部分と、撥水加工を施した撥水部と撥水加工を施していない非撥水部とを断続的に形成した断続撥水部とを、体長方向に平行なストライプ状に形成したことを特徴とする競泳水着が開示されている。
【特許文献１】特開平９−４９１０７号公報
【特許文献２】特開２０００−２２６７０９号公報
【発明の開示】
【発明が解決しようとする課題】
【０００３】
前記の特許文献１及び特許文献２の競泳水着では、撥水部分と非撥水部分によるストライプの方向、或いは連続撥水部分と断続撥水部分によるストライプの方向を、体長方向すなわち競泳時の進行方向に合わせて配置することで、競泳水着の表面摩擦抵抗の低減と、水着と競技者の間に滞留する水の抜け性の改善を施し、水着全体の抵抗の低減を図ってきた。本発明者は水着の表面抵抗について更なる鋭意研究を重ねた結果、競泳時の水の流れには直進方向（体長方向）だけでなく、体のねじれや上下動に伴う斜め方向の流れも水着の表面摩擦抵抗に影響を与えることを発見し、進行方向に加えて斜め方向の水の流れに対する抵抗低減も目的とすることで本願発明に至った。本願発明の競泳水着は、前記の特許文献１及び特許文献２の発明の効果に加えて、斜め方向の表面摩擦抵抗をも低減することで、さらに高度な技術的課題を達成するものである。
【課題を解決するための手段】
【０００４】
本発明の競泳水着は、伸縮性を有する生地からなる水着の表面の少なくとも一部分に、連続的に形成した撥水部を有する連続撥水部分と、撥水部及び非撥水部を断続的に形成した断続撥水部分とが、体長方向に平行なストライプ状に形成された撥水領域を有し、前記断続撥水部分の撥水部と前記連続撥水部分の撥水部とが少なくとも一部分で連結されており、前記撥水領域の面積に占める撥水部の面積の比率が７０〜９０％である競泳水着において、前記撥水部を体長方向に対する左斜め方向及び右斜め方向にも連続的に形成したことを特徴とする競泳水着である。
【０００５】
本発明の競泳水着において、前記体長方向、左斜め方向及び右斜め方向に連続的に形成した撥水部の幅は、それぞれの方向において１ｍｍ以上５０ｍｍ以下であることを特徴とする。また、前記体長方向、左斜め方向及び右斜め方向に連続的に形成した撥水部の幅は、ほぼ同一であることが好ましい。
【０００６】
本発明の競泳水着は前記の体長方向、左斜め方向及び右斜め方向に連続的に形成した撥水部において、それぞれの方向の撥水部の中心線が一点で交わることを特徴とする。また、前記の体長方向の撥水部の中心線と左斜め方向の撥水部の中心線とのなす角度、及び体長方向の撥水部の中心線と右斜め方向の撥水部の中心線とのなす角度は、それぞれ１０度以上２５度以下であることが好ましい。
【発明の効果】
【０００７】
本発明の競泳水着では、前記のように撥水領域を設けることで、直進方向（体長方向）の水の流れだけでなく、体のねじれや上下動に伴う斜め方向の水の流れに対しても充分な表面摩擦抵抗の低減効果を得ることが可能となる。また、水に濡れた時に水をはじくという撥水剤の水切性を利用して水着の水中での表面摩擦抵抗の低減に直接寄与せしめると共に、競泳時における生地表面からの水の侵入を減らし、又、非撥水部分を設けることで水着内に侵入した水を水着と人体との間に滞留する事無く水着の外側に速やかに排出させることができる。
【発明を実施するための最良の形態】
【０００８】
本発明に係る競泳水着の実施の形態について説明する。本発明の競泳水着では後述する方法で撥水加工を施した部分を撥水部、撥水加工を施していない部分を非撥水部とし、前記撥水部が連続的に形成された部分を連続撥水部分、前記撥水部及び非撥水部が断続的に形成された部分を断続撥水部分とする。連続撥水部分と非連続撥水部分とが体長方向に平行なストライプ状に形成された領域を撥水領域とし、撥水領域は水着表面の少なくとも一部分に含まれることとする。断続撥水部分を設けることで、水抜け性を確保しながら撥水部を相対的に増やすことができ、摩擦抵抗を低減させることができる。
【０００９】
連続撥水部分と断続撥水部分は、水着表面に実質的に体長方向、好ましくは競泳競技中の水流方向に延びるストライプ状に設けられる。すなわち、前記ストライプの方向は、人体に沿って流れる水流の方向に基づいて規定されることを要し、その観点から前身頃部及び後身頃部においてはほぼ体長方向にストライプに配置される。また、人体の脇腹部や隆起部に対応する部位については、競技時の水流の方向を考慮し、前記ストライプの方向を体長方向に対して所定の角度を設けて選定することがより好ましい。また、水着の一部分を前記ストライプ状に形成し、その他の部分を全表面に撥水加工を施した領域で構成することも可能である。さらに前記三つの領域、すなわち、ストライプが体長方向に延びる領域、ストライプが体長方向に対して所望の角度で延びる領域及び全表面に撥水部分が設けられている領域が一枚の水着に混在していても良い。前記三つの領域の水着内での配置位置、個数は用いる競泳水着の要件、すなわち競技者の体型、使用条件等によって任意に選定することが出来る。
【００１０】
本発明の競泳水着では、断続撥水部分の撥水部は隣接する連続撥水部分の撥水部と少なくとも一部分で連結されており、体長方向に対する左斜め方向及び右斜め方向にも連続的に撥水部を形成する。これにより本発明の競泳水着は、体長方向に連続な撥水部（前記の連続撥水部分に該当する。）と、体長方向に対して左斜め方向及び右斜め方向にも連続的な撥水部を有することになるので、直進方向（体長方向）の水の流れだけでなく、例えば、体のねじれや上下動に伴う斜め方向の水の流れに対しても充分な表面摩擦抵抗の低減効果を得ることが可能となる。なお左斜め方向とは体長方向に対して左上から右下に至る方向（図５の７２）、右斜め方向とは体長方向に対して右上から左下に至る方向（図５の７３）とする。
【００１１】
図５は本発明に係る競泳水着に用いる生地の表面拡大図である。図５に示すように、体長方向７１に連続的に形成される撥水部Ａの中心線Ｌ１と左斜め方向７２に連続的に形成される撥水部Ａの中心線Ｌ２とのなす角度α、及び前記の中心線Ｌ１と右斜め方向７３に連続的に形成される撥水部の中心線Ｌ３とのなす角度βはそれぞれ１０度以上２５度以下であることが好ましい。水中での表面摩擦抵抗の低減が最も効果的であり、また効率的な水抜け性の確保が可能であるからである。前記の角度α、βが１０度より小さいと、例えば競泳時に泳者が体をねじった際に発生する斜め方向の水流に対して、斜め方向の撥水部の角度が不足するために、充分な表面摩擦抵抗の低減効果が得られない。また前記の角度α、βが２５度より大きいと、同じく斜め方向の水流に対して、斜め方向の撥水部の角度が過大であるので、撥水部と水流の角度が直角に近づくこととなり、充分な表面摩擦抵抗の低減効果が得られない。
【００１２】
本発明における体長方向に連続的な撥水部の中心線Ｌ１とは、体長方向に連続的に形成される撥水部の左右両側部をそれぞれ結んだ直線Ｍ１とＭ２に対する中心線である。左斜め方向に連続的な撥水部の中心線Ｌ２とは、左斜め方向に連続的に形成される撥水部の上端部を結んだ直線Ｍ３と下端部を結んだ直線Ｍ４に対する中心線であり、右斜め方向に連続的な撥水部の中心線Ｌ３とは、右斜め方向に連続的な撥水部の上端部を結んだ直線Ｍ５と下端部を結んだ直線Ｍ６に対する中心線である。
【００１３】
また前記の三方向の撥水部の中心線は一点で交わることが好ましい。図８（ｂ）に示すように、例えば体長方向７１と左斜め方向７２の二方向の中心線のみが交わる場合を考えると、左斜め方向７２の水流に対しては抵抗低減効果を期待できるが、右斜め方向７３の水流に対する抵抗低減効果は不充分となる。図８（ａ）に示すように三方向の撥水部の中心線が一点交われば、中心線が交わる全ての点Ｐにおいて、縦方向、左斜め方向及び右斜め方向の全方向に対して、抵抗低減効果を得ることができる。
【００１４】
前記の撥水領域では、連続撥水部分及び断続撥水部分を体長方向に延びるストライプ状に設けると共に、撥水部を体長方向、左斜め方向及び右斜め方向に連続的に形成することで、水に濡れた時に水をはじくという撥水剤の水切性を利用して水着の水中での表面摩擦抵抗の低減に直接寄与せしめると共に、競泳時における生地表面からの水の侵入を減らし、又、非撥水部分を設けることで水着内に侵入した水を水着と人体との間に滞留する事無く水着の外側に速やかに排出させるのに役立つ。
【００１５】
撥水領域の面積に占める撥水部の面積の比率は７０〜９０％とする。撥水部の面積が９０％以上になると、開口部から侵入した水が、水着の外側に抜けにくくなり、水着が膨らんだり、はためいたりすることによって抵抗が増えてしまうこととなる。一方、撥水部の面積が７０％以下になると、水抜け性が単純な撥水部と非撥水部のストライプを形成した水着と大差なく、狙いとする効果に劣るものとなってしまうからである。
【００１６】
体長方向、左斜め方向及び右斜め方向において連続的に形成される撥水部の幅は、それぞれの方向において、１ｍｍ以上５０ｍｍ以下であることが好ましい。水着の抵抗低減効果の観点及び製造技術的な観点からみて１ｍｍ以上５０ｍｍ以下の範囲内で任意に定めることが可能であるが、作用効果の観点から見て最も好ましい範囲は５ｍｍ以上１５ｍｍ以下である。水着の作製時には縫製作業を伴うが、撥水部分の幅が５０ｍｍより大きいと、デザインによって連続撥水部分同士もしくは断続撥水部分同士が縫い合わされる場合を生じ、その結果撥水性及び水抜け性に無視することができない程度にムラ部分を作ることになり、水着全体としての抵抗低減効果上好ましくない。一方、連続撥水部分及び断続撥水部分の幅が１ｍｍ未満であると、プリント処方による撥水加工を行う場合、安定して１ｍｍ以下の幅の撥水部分及び非撥水部分を維持して生産することが困難となり、結果的に目詰まり部分を生じてしまい水抜け性上好ましくない。なお、水抜け性、生産効率上の観点から考えると、前記の体長方向、左斜め方向及び右斜め方向において連続的に形成される撥水部の幅は、それぞれの方向において、同一またはそれに近い比率であることが好ましい。
【００１７】
本発明の競泳水着は、伸縮性を有する生地を用いることにより人体にフィットさせることができる。本発明に係る競泳水着に用いられる生地の素材としては、ポリアミド系、ポリエステル系、ポリプロピレン系などの合成繊維マルチフィラメント糸条、または、これらの合成繊維マルチフィラメント糸条とポリウレタン弾性糸条の交編、あるいは交織よりなる編物、織物を用いることが出来る。特に競泳水着は動きやすさが重要視される場合も多く、素材形態としては合成繊維マルチフィラメント糸条とポリウレタン弾性糸条の交編による編物がより好ましい。また、この編物形態としては、丸編地であるシングル丸編地、ダブル丸編地、経編地である、トリコット地、ラッセル地のいずれも用いることができるが、動きやすさに影響するストレッチ性、生地薄さ等の観点からトリコット地がより好ましい。これを通常の染色加工法により、染色仕上げして、次加工である撥水加工用の生地とする。
【００１８】
本発明に係る競泳水着の撥水加工に用いられる撥水剤としては、シリコーン系撥水剤、フッ素系撥水剤等従来から用いられていた各種撥水処理剤の中から適宜選択することができる。また、本発明に係わる競泳水着の撥水部分に用いられる処理剤は、撥水剤という名称に拘泥するものではなく、水着の水中の表面摩擦抵抗を実質的に低減するものであればどの様な処理剤でもよく、例えば、プリント剤、シーリング剤といった名称のものでもよい。
【００１９】
生地表面に前記撥水剤を付着させる方法としては、一般的に工業化されているプリント処方が好適であり、用いられる装置としては、ローラー捺染機、オートスクリーン捺染機、ハンドスクリーン捺染機等から適宜選択される。
【００２０】
生地への撥水剤の塗布量は、基布の目付、厚さ、撥水加工面積、及び撥水剤の種類などにより異なるが、５〜２０ｇ／ｍ２が好ましい。なお、前記撥水部分は水着の表面に設けられていることが重要であり、そこで他の処理剤を生地表面上に連続部分と断続部分をストライプ状に設け、そのストライプ上に更に撥水剤を付与するという方法を採用しても良い。
【００２１】
撥水剤を生地表面に付着させた後に、撥水剤を生地に固着させる架橋反応促進を目的とする熱処理などの後処理を通常の撥水加工に準じて行うと好ましい。この架橋反応促進を目的とする熱処理加工は通常のピンテンター等を用いて行うことができる。
【００２２】
本発明に係わる競泳水着の生地表面は、表面摩擦抵抗を低減させるために平滑である方が抵抗低減効果は大きい。このため、上記撥水加工を施す前、又は後に撥水加工を施す側の生地表面を平滑化させる加工を行うことが好ましい。ここでいう平滑化加工とは、編地表面におけるループによる凹凸形状などを熱や圧力などにより押しつぶすなどして、表面を該加工処理前よりも滑らかに変化させる加工手段のことをいう。なかでも、加工安定性と生産性の観点から、平滑化加工の具体的手段としてはカレンダー加工が好ましい。
【００２３】
その加工機としては通常の加熱ロールとペーパーロール、またはコットンロールよりなるカレンダー加工機、あるいは板状物を用いたカレンダー加工を用いることができ、加熱金属ロールを用いる場合は鏡面ロールであることが好ましい。なお、競泳水着用の編地として用いる場合、例えばカレンダー加工条件は、編地の幅１００〜２２０ｃｍに対して、線圧で１〜６０ｔ程度とし、ロール温度は１３０〜２５０℃程度で行うことが好ましい。
【００２４】
また、他の平滑化加工としては、加熱金属ロールと皮ベルトを有する転写プリント機を利用して行うことも出来る。これら平滑化加工の条件は、編地の種類、表面凹凸感、風合いなどにより適宜設定すれば良い。
【実施例】
【００２５】
（実施例１）
次に本発明に係る競泳水着の実施例を図面を用いて説明する。図１（ａ）は本実施例の正面図、図１（ｂ）は同じく背面図である。図１に示す競泳水着１において、前身頃１１及び後身頃１２は、共に伸縮性を有する生地で構成されその表面には連続撥水部分Ｒと断続撥水部分Ｄを体長方向に実質的に沿ってストライプ状に設けた。（但し図１中では連続撥水部分Ｒと断続撥水部分Ｄは模式的に示したものであり、図１中の幅は実際の幅とは異なる）。
【００２６】
実施例１の競泳水着１に用いた生地の表面拡大図を図２に示す。図２に示すように生地２の表面は、撥水部Ａを連続的に形成した連続撥水部分Ｒと、撥水部Ａ及び非撥水部Ｂを断続的に形成した断続撥水部分Ｄとが、体長方向に平行なストライプ状に形成された撥水領域Ｈを有している。連続撥水部分Ｒと断続撥水部分Ｄは交互に隣接し、両者の撥水部Ａは連結されており、体長方向に対する左斜め方向及び右斜め方向にも撥水部Ａが連続的に形成される。また連続撥水部分Ｒと断続撥水部分Ｄは生地の縦方向と横方向に連続的に繰り返し配置される。
【００２７】
体長方向に連続的に形成した撥水部の幅Ｗ１は４ｍｍ、左斜め方向及び右斜め方向に連続的に形成した撥水部の幅Ｗ２、Ｗ３は共に４ｍｍである。体長方向の撥水部の中心線Ｌ１、左斜め方向の撥水部の中心線Ｌ２、右斜め方向の撥水部の中心線Ｌ３はそれぞれの位置で一点で交わっており、前記中心線Ｌ１と前記中心線Ｌ２とのなす角度αは２０度、前記中心線Ｌ１と前記中心線Ｌ３とのなす角度βは２０度である。また本実施例において、撥水領域Ｈの面積に占める撥水部Ａの面積の比率は７０％である。
【００２８】
前記の生地２を用いて競泳水着１を製造する。製造に関しては従来の競泳水着と同様に、前身頃、後身頃及びその他の部材を裁断後、必要部分を縫着することで競泳水着１とする。
【００２９】
（実施例２）
図３は別の実施例の競泳水着に用いた生地３の表面拡大図である。体長方向に連続的に形成した撥水部Ａの幅Ｗ１は４ｍｍ、左斜め方向及び右斜め方向に連続的に形成した撥水部の幅Ｗ２、Ｗ３は共に４ｍｍである。体長方向の撥水部の中心線Ｌ１、左斜め方向の撥水部の中心線Ｌ２、右斜め方向の撥水部の中心線Ｌ３はそれぞれ一点で交わっており、前記中心線Ｌ１と前記中心線Ｌ２とのなす角度αは２０度、前記中心線Ｌ１と前記中心線Ｌ３とのなす角度βは２０度である。また本実施例において、撥水領域Ｈの面積に占める撥水部Ａの面積の比率は８０％である。
撥水部Ａ及び非撥水部Ｂの形状以外の部分については、前記の実施例１と同様の方法を用いて実施例２の競泳水着とする。
【００３０】
（実施例３）
図４はさらに別の実施例の競泳水着に用いた生地４の表面拡大図である。体長方向に連続的に形成した撥水部Ａの幅Ｗ１は４ｍｍ、左斜め方向及び右斜め方向に連続的に形成した撥水部の幅Ｗ２、Ｗ３は共に４ｍｍである。体長方向の撥水部の中心線Ｌ１、左斜め方向の撥水部の中心線Ｌ２、右斜め方向の撥水部の中心線Ｌ３はそれぞれ一点で交わっており、前記中心線Ｌ１と前記中心線Ｌ２とのなす角度αは２０度、前記中心線Ｌ１と前記中心線Ｌ３とのなす角度βは２０度である。また本実施例において、撥水領域Ｈの面積に占める撥水部Ａの面積の比率は７５％である。本実施例の生地４では、断続撥水部分Ｄ中に体長方向に連続的な撥水部Ａ１を設けている。Ａ１の幅は１ｍｍとした。
撥水部Ａ及び非撥水部Ｂの形状以外の部分については、前記の実施例１と同様の方法を用いて実施例３の競泳水着とする。
【００３１】
実施例の競泳水着の効果を検証するために以下の測定を行った。測定は前記の実施例２と以下の比較品１及び比較品２で行った。図６は比較品１の競泳水着に用いた生地の表面拡大図、図７は比較品２の競泳水着に用いた生地の表面拡大図である。比較品１は水着表面に撥水部Ａと非撥水部Ｂを体長方向にストライプ状に設けた競泳水着であって、撥水部Ａの幅Ｗ４は７ｍｍ、非撥水部Ｂの幅Ｗ５は７ｍｍであり、撥水領域Ｈの面積に占める撥水部Ａの面積の比率は５０％である。比較品２は水着表面に連続的に形成した撥水部Ａを有する連続撥水部分Ｒ’と、撥水部Ａ及び非撥水部Ｂを断続的に形成した断続撥水部分Ｄ’とが、体長方向に平行なストライプ状に形成された競泳水着であって、いわゆる鱗状の形状に撥水加工が施されており、撥水部Ａの上縁は連続撥水部分の縁と４５度の角度を有しており、撥水部Ａの下縁は連続撥水部分の縁と５５度の角度を有している。連続撥水部分Ｒ’の幅Ｗ６は８ｍｍ、断続撥水部分Ｄ’の幅Ｗ７は１０ｍｍであり、撥水領域Ｈの面積に占める撥水部Ａの面積の比率は７５％である。比較品１及び比較品２の競泳水着は実施例２と同様の生地素材、同様の撥水加工方法及び同様の水着形状とし、表面の撥水部の形状のみが異なっている。
【００３２】
以下に説明する表面摩擦抵抗試験装置を用いて、抵抗値を測定する以下の実験を行った。すなわち、生地の表面摩擦抵抗試験装置は図９に示すように、それぞれの上端が水平方向に自由に移動できる支柱９５によって支えられたガラス板９６（長さ３０００ｍｍ、幅６００ｍｍ）の両面に試験用生地９７を貼り付け、回流水槽９８中に所定の深度まで沈降させるものである。金属性支柱９９の下端は前記ガラス板９６に固定され、金属製支柱９９の上端は天井に固定されている。前記金属製支柱９９の上方部分に歪みゲージ９４が設置されている。従って、ガラス板９６の両面に前記の実施例２、比較品１及び比較品２の試験用生地９７を貼着し、その表面を流れる水流から受ける抵抗の大きさは、前記歪みゲージ９４からの電気信号として動歪み計９３により測定され、Ａ／Ｄコンバーター９２を介してパソコン９１に表示記録される。本実験において、試験用生地９７を貼着したガラス板９６を回流水槽９８に設置し、流速１．８ｍ／ｓの水流をガラス板９６に当て、その時測定される全抵抗の値から抵抗値を算出する。測定は、試験用生地の体長方向（ストライプ方向）が水流に対して平行となるように設定した場合と、水流に対して体長方向が２０度の角度となるように設定した場合で行った。
【００３３】
【表１】
2006348398.tif 000003
【００３４】
測定結果を上記の表１に示す。なお、カッコ内の数字は比較品１において水流が体長方向と平行な場合の測定結果を１００として換算した値である。表１から分かるように、水流が体長方向と平行な場合において、比較品２及び実施例２は比較品１に比べて抵抗値が下がっている。これは表面の撥水部面積の増加に伴うものである。次に水流が体長方向と２０度の角度を有する場合について、比較品１を見ると水流が体長方向に平行な場合に比べて抵抗値が上がっている。これは斜め方向に連続的な撥水部がないためである。比較品２は比較品１に比べて抵抗値が下がっているが、これは表面の撥水部面積の増加に伴うものである。実施例２は斜め方向に連続的に形成される撥水部を有するため水流が体長方向に平行な時の比較品１の値と比べても抵抗値が下がっている。
【００３５】
前記の各実施例では、いわゆる女性用のワンピース型の水着形状のみを示したが、水着形状はこれに限定されるものではなく、着用者のほぼ全身を覆う形状のものや腕や足の少なくとも一部を覆う形状のもの、ビキニ型、スパッツ型など、水着の形状は従来の競泳水着の中から必要に応じて任意のものを採用することができる。
【図面の簡単な説明】
【００３６】
【図１】図１（ａ）は実施例１の競泳水着の正面図、図１（ｂ）は同じく背面図である。
【図２】図２は実施例１の競泳水着に用いた生地の表面拡大図である。
【図３】図３は実施例２の競泳水着に用いた生地の表面拡大図である。
【図４】図４は実施例３の競泳水着に用いた生地の表面拡大図である。
【図５】図５は本発明に係る競泳水着に用いる生地の表面拡大図である。
【図６】図６は比較品１に用いた生地の表面拡大図である。
【図７】図７は比較品２に用いた生地の表面拡大図である。
【図８】図８（ａ）は本発明に係る競泳水着に用いる生地の表面拡大図。図８（ｂ）は体長方向と左斜め方向の二方向の撥水部のみが交わる生地の表面拡大図である。
【図９】図９は表面摩擦抵抗試験の測定装置を示す模式図である。
【符号の説明】
【００３７】
１    競泳水着
１１  前身頃
１２  後身頃
２、３、４  生地
Ａ    撥水部
Ｂ    非撥水部
Ｒ、Ｒ’  連続撥水部分
Ｄ、Ｄ’  断続撥水部分
Ｈ    撥水領域
Ｐ    点
７１  体長方向
７２  左斜め方向
７３  右斜め方向
Ｌ１、Ｌ２、Ｌ３  中心線
α、β  角度
９１  パソコン
９２  Ａ／Ｄコンバーター
９３  動歪み計
９４  歪みゲージ
９５  支柱
９６  ガラス板
９７  試験用生地
９８  回流水槽
９９  金属性支柱
【図１】
2006348398.tif 000004
【図２】
2006348398.tif 000005
【図３】
2006348398.tif 000006
【図４】
2006348398.tif 000007
【図５】
2006348398.tif 000008
【図６】
2006348398.tif 000009
【図７】
2006348398.tif 000010
【図８】
2006348398.tif 000011
【図９】
2006348398.tif 000012